(57)【要約】【課題】最適な視聴環境の実現と省エネルギー対策、及び使用者の利便性の向上を図ることを目的とした映像処理装置を介した照明制御システムを提供する。【解決手段】映像処理装置に予め設定された大別されたジャンルに応じた最適な照明環境を実現するため、照明装置の光源の輝度、色度、及び照明の照射方向を制御する。また、室内照明の電源のＯＮ／ＯＦＦに連動させて映像処理装置の電源をＯＮ／ＯＦＦする制御を行う。さらに、映像処理装置の電源をＯＮとする場合において、映像処理装置に指定した画像、或いは映像、及びそれに付随した音楽、或いは音声を再生させる。【選択図】図１
2010263534.tif 000002
【特許請求の範囲】
【請求項１】
入力された映像信号に対して、少なくとも輝度、コントラスト、ホワイトバランス、画像の鮮鋭度のいずれか一つを補正する複数の補正方式を記憶する記憶手段と、
前記記憶手段に記憶された複数の補正方式から所望の補正方式を選択する選択手段と、
前記入力された映像信号に対して、前記選択手段により選択された補正方式により映像信号の補正を行う補正手段と、
前記選択手段により選択された補正方式に基づいて、外部の照明装置を調光する調光情報を前記外部の照明装置に出力する出力手段とを備えたことを特徴とする映像処理装置。
【請求項２】
前記照明装置は、さらに、
前記出力手段から出力された調光情報を検知する検知手段と、
前記検知手段により検知した調光情報に応じて、前記照明装置の輝度、色度、照射方向の少なくともいずれか一つを設定する調光手段とを備えたことを特徴とする請求項１記載の映像処理装置。
【請求項３】
前記映像処理装置は、さらに、
前記照明装置から送信される前記照明装置の特性を示す特性情報を受信する受信手段と、
前記受信手段により受信した特性情報及び前記選択手段により選択された補正方式に基づいて、前記調光情報を設定する設定手段とを備え、
前記設定手段により設定された調光情報を前記出力手段から出力することを特徴とする請求項１記載の映像処理装置。
【請求項４】
前記映像処理装置は、さらに、
前記映像処理装置の電源を制御する制御手段を備え、
前記制御手段により、前記映像処理装置の電源を制御した場合に、外部の照明装置の電源を制御する制御情報を出力する出力手段とを備えたことを特徴とする請求項１から３のいずれかに記載の映像処理装置。
【請求項５】
前記照明装置は、さらに、
前記出力手段から出力された調光情報を検知する検知手段と、
前記検知手段により検知した調光情報に応じて、前記照明装置の電源のオン又はオフを設定する設定手段とを備えたことを特徴とする請求項４記載の映像処理装置。
【請求項６】
前記照明装置の電源をＯＦＦと設定する場合において、前記照明装置の電源をＯＦＦとする直前に前記映像処理装置の画面上に照明装置の電源をＯＦＦにすることに関して使用者の許可を求める内容の表示を行い、使用者が許可することを示す特定の操作を行った場合、或いは使用者が予め指定した時間内に何の操作も行われなかった場合のみ前記照明装置の電源をＯＦＦとする請求項５記載の映像処理装置。
【請求項７】
前記映像処理装置は、さらに、
入力された映像信号の種別を判別する判別手段を備え、
前記判別手段により判別した映像信号の種別に基づいて、前記選択手段において所望の補正方式を選択することを特徴とする請求項１から６のいずれかに記載の映像処理装置。
【請求項８】
前記映像処理装置は、さらに、
所定時間に所定の番組を視聴する予約を記録するを行う予約記録手段を備え、
前記予約手段により予約された所定の番組の開始前に、前記予約手段により予約した番組の種別に基づいて、前記選択手段において所望の補正方式を選択することを特徴とする請求項１から６のいずれかに記載の映像処理装置。
【請求項９】
前記映像処理装置は、さらに、
過去の番組の視聴履歴を記録する履歴記録手段を備え、
前記履歴記録手段に記録された番組に関連する番組の開始前に、前記履歴記録手段に記録した番組の種別に基づいて、前記選択手段において所望の補正方式を選択することを特徴とする請求項１から６のいずれかに記載の映像処理装置。
【請求項１０】
入力された映像信号に対して、少なくとも輝度、コントラスト、ホワイトバランス、画像の鮮鋭度のいずれか一つを補正する複数の補正方式を記憶する記憶ステップと、
前記記憶ステップに記憶された複数の補正方式から所望の補正方式を選択する選択ステップと、
前記入力された映像信号に対して、前記選択ステップにより選択された補正方式により映像信号の補正を行う補正ステップと、
前記選択ステップにより選択された補正方式に基づいて、外部の照明装置を調光する調光情報を前記外部の照明装置に出力する出力ステップとを備えたことを特徴とする映像処理方法。
【請求項１１】
前記照明装置は、さらに、
前記出力ステップから出力された調光情報を検知する検知ステップと、
前記検知ステップにより検知した調光情報に応じて、前記照明装置の輝度、色度、照射方向の少なくともいずれか一つを設定する調光ステップとを備えたことを特徴とする請求項１０記載の映像処理方法。
【請求項１２】
前記映像処理方法は、さらに、
前記照明装置から送信される前記照明装置の特性を示す特性情報を受信する受信ステップと、
前記受信ステップにより受信した特性情報及び前記選択ステップにより選択された補正方式に基づいて、前記調光情報を設定する設定ステップとを備え、
前記設定ステップにより設定された調光情報を前記出力ステップにおいて出力することを特徴とする請求項１０記載の映像処理方法。
【請求項１３】
前記映像処理方法は、さらに、
映像処理装置の電源を制御する制御ステップを備え、
前記制御ステップにより、前記映像処理装置の電源を制御した場合に、外部の照明装置の電源を制御する制御情報を出力する出力ステップとを備えたことを特徴とする請求項１０から１２のいずれかに記載の映像処理方法。
【請求項１４】
前記照明装置は、さらに、
前記出力ステップから出力された調光情報を検知する検知ステップと、
前記検知ステップにより検知した調光情報に応じて、前記照明装置の電源のオン又はオフを設定する設定ステップとを備えたことを特徴とする請求項１３記載の映像処理方法。
【請求項１５】
前記照明装置の電源をＯＦＦと設定する場合において、前記照明装置の電源をＯＦＦとする直前に前記映像処理装置の画面上に照明装置の電源をＯＦＦにすることに関して使用者の許可を求める内容の表示を行い、使用者が許可することを示す特定の操作を行った場合、或いは使用者が予め指定した時間内に何の操作も行われなかった場合のみ前記照明装置の電源をＯＦＦとする請求項１４記載の映像処理方法。
【請求項１６】
前記映像処理方法は、さらに、
入力された映像信号の種別を判別する判別ステップを備え、
前記判別ステップにより判別した映像信号の種別に基づいて、前記選択ステップにおいて所望の補正方式を選択することを特徴とする請求項１０から１５のいずれかに記載の映像処理方法。
【請求項１７】
前記映像処理方法は、さらに、
所定時間に所定の番組を視聴する予約を記録する予約記録ステップを備え、
前記予約ステップにより予約された所定の番組の開始前に、前記予約ステップにより予約した番組の種別に基づいて、前記選択ステップにおいて所望の補正方式を選択することを特徴とする請求項１０から１５のいずれかに記載の映像処理方法。
【請求項１８】
前記映像処理方法は、さらに、
過去の番組の視聴履歴を記録する履歴記録ステップを備え、
前記履歴記録ステップに記録された番組に関連する番組の開始前に、前記履歴記録ステップに記録した番組の種別に基づいて、前記選択ステップにおいて所望の補正方式を選択することを特徴とする請求項１０から１５のいずれかに記載の映像処理方法。
【発明の詳細な説明】
【技術分野】
【０００１】
本発明は、映像処理装置及び映像処理方法に関するものである。
【背景技術】
【０００２】
従来の映像処理装置、例えばＣＲＴ、液晶、ＰＤＰなどの画像表示ディスプレイでは使用者が手動で操作することにより、表示部の輝度、色度（色温度）、ガンマ特性などの光学特性を、使用者がその用途に応じて自由度の差はあるものの任意に設定することが可能であった。
【０００３】
特に、テレビ用途として用いられる映像処理装置においては使用者が光学特性パラメータを細かく設定する煩雑さから逃れることを目的として、映像処理装置に光学特性パラメータを収めるメモリを具備させ、大別したジャンルに適した光学特性パラメータを予め記憶させておき、使用者が好みに応じてその大別したジャンル（例えば、シアター、ゲーム、スポーツなど）を選択することで、最適な視聴環境が提供される場合がほとんどである。（例えば、特許文献１等）
しかし、この場合、提供される映像処理装置の表示部の輝度、色度、ガンマ特性などの光学特性パラメータは、映像処理装置が設置されているあらゆる周辺環境に対して常に最適であるという保障を得ることは不可能である。
【０００４】
なぜならば、最適な視聴環境を実現するためには、周辺環境を照らす照明の輝度や照明光の分光分布など、周囲の照明環境も重要な要素となるからである。例えば、映像処理装置の光学特性パラメータを大別ジャンルのシアターに設定した場合、一般的に表示部の輝度は抑えられ、色温度も低く設定される。これにより、映画の製作者が意図する奥行きをもった深い黒を再現することができ、映画館で鑑賞しているような映像表現が可能となる。
しかし、この場合、映像処理装置、及び視聴者を照らす照明の輝度は十分に低いことを前提としている。仮に、照明環境が明る過ぎる状態で視聴したとすると、視聴者は黒の奥行きを感じることができないばかりか、輝度が低下することで画面が暗くなったと感じ、色温度が下がることで全体的に赤っぽくなったという印象を持ってしまう。
【０００５】
実際に、一般家庭でテレビを視聴する際、上記の大別したジャンルを選択し、照明環境を含め積極的に最適な視聴環境を整えているのはごく一部の使用者であるというのが現状である。
【０００６】
一方、映像処理装置の表示部の輝度に関して言えば、この照明環境を考慮し、映像処理装置が照明環境を把握し、自動的に最適な輝度に調節する技術がすでに実用化されている。
【０００７】
この技術によれば、映像処理装置は人間の視感度効率に近い照度センサを持ち、周囲の明るさを検知することができる。映像処理装置は得られた周囲の明るさの情報を元に、その明るさに適した映像処理装置の表示部の輝度を算出し、映像処理装置に備えられた調光制御装置が自動的にその目標輝度へと映像処理装置の表示部輝度を調節する。
【０００８】
しかし、この技術は周囲の明るさに応じて映像処理装置の表示部の輝度を調節し、より見やすい画像表示を実現することを目的としているのであって、上記の大別したジャンルに適した視聴環境を積極的に実現することは難しい。
例えば、上記で説明したシアターモードでは、映像処理装置、及び視聴者を照らす照明の輝度が十分に小さいことが前提となるので、元々の室内照明環境が明るい状態であれば、映像処理装置の表示部の輝度をどのように変化させたとしても、狙った視聴環境を再現することは不可能である。
【０００９】
つまり、上記の大別したジャンルに適した視聴環境を実現するためには、映像処理装置側での光学特性パラメータの設定と共に、周囲の照明環境を適切に調節することが重要である。
【先行技術文献】
【特許文献】
【００１０】
【特許文献１】特開２００６−３３０３０６号公報
【発明の概要】
【発明が解決しようとする課題】
【００１１】
これまで、最適な視聴環境の実現を目的として大別したジャンルに適した光学特性パラメータをテレビ開発者が入念に検討した上で設定しているにも関わらず、この機能を利用して照明環境の最適化を含め積極的に視聴環境を整えている使用者はほとんどいないというのが現状であった。
【００１２】
その理由として、最適な視聴環境を整えることで得られる最適な映像表現の有用性が使用者に十分に認識されていないこと、また、最適な視聴環境を整えるためには映像処理装置で大別したジャンルを選択し、その上で照明環境も適切に調節しなければならないという使用者にとっての煩雑さが挙げられる。
【００１３】
本発明は、特に後者の、最適な視聴環境を整えるための使用者にとっての煩雑さを軽減させることを目的としてなされたものである。
【００１４】
より具体的には、使用者が好みに応じて大別したジャンルを映像処理装置で選択することで、映像処理装置が室内を照らす照明と無線通信を行い、選択された大別したジャンルに適した照明の輝度、分光分布、或いは照明光の照射方向などを自動で調節し、テレビ開発者が狙う最適な視聴環境を簡便に使用者に提供することを目的としている。
【００１５】
また、映像処理装置と室内照明が無線通信で結ばれることによって、上記の視聴環境を整えることを目的とする以外にも、室内照明の電源のＯＮ／ＯＦＦに連動させて映像処理装置の電源をＯＮ／ＯＦＦする制御を行うことが可能である。さらに、映像処理装置の電源をＯＮとする場合において、映像処理装置に指定した音楽や画像、或いは映像を再生させることが可能である。例えば、夜間の消し忘れによる室内照明の不要な点灯を防ぐことや、朝の指定した時刻に自動的に照明が点灯し、同時に目覚めに適した映像表示や音楽再生を行うことなど、省エネルギー対策、及び使用者の利便性の向上に資することができる。
【課題を解決するための手段】
【００１６】
本発明は映像処理装置を介した照明制御システムであって、視聴者が映像処理装置で選択した大別したジャンルに応じて室内照明を適切に制御することによって、最適な視聴環境を視聴者に提供することを目的とし、映像処理装置、照明装置双方に情報をやり取りするための無線通信用の送受信装置をもつことと、照明装置に画像意表示装置からの情報に基づいて照明の光源の輝度、色度、照明の照射方向を変化させる手段を持つこと、及び使用者の利便性の向上を目的として照明装置の電源をＯＮ／ＯＦＦする手段をもつことを特徴とする。
【００１７】
前述の照明装置の電源をＯＮ／ＯＦＦする場合、使用者は映像処理装置を通して照明装置の電源のＯＮ／ＯＦＦ設定を行い、使用者が指定した時刻、或いは経過時間になった時点で照明装置の電源のＯＮ／ＯＦＦ、及びそれと連動した映像処理装置のＯＮ／ＯＦＦを行うことを特徴とする。
【００１８】
また、前述の照明装置の電源をＯＮと設定した場合において、映像処理装置で表示する画像、或いは映像と、映像処理装置、或いはそれに接続された音響装置から再生される音楽、音声、及びその音量を指定することができることを特徴とする。
【００１９】
また、前述の照明装置の電源をＯＦＦと設定する場合において、照明装置の電源をＯＦＦとする直前に映像処理装置の画面上に照明装置の電源をＯＦＦにすることに関して使用者の許可を求める内容の表示を行い、使用者が許可することを示す特定の操作を行った場合、或いは使用者が予め指定した時間内に何の操作も行われなかった場合のみ照明装置の電源をＯＦＦとすることを特徴とする。
【発明の効果】
【００２０】
本発明によれば、使用者が映像処理装置で大別したジャンルを選択するだけで室内照明環境が、選択された大別したジャンルに応じて変化し、視聴者に対して最適な視聴環境が簡便に提供される。
【００２１】
また、本発明によれば、使用者が映像処理装置を通して室内照明のＯＮ／ＯＦＦ設定を行うことができ、夜間の消し忘れによる室内照明の不要な点灯を防ぐことや、朝の指定した時刻に自動的に照明が点灯し、同時に目覚めに適した映像表示や音楽再生を行うことなど、省エネルギー対策、及び使用者の利便性の向上に資することができる
【図面の簡単な説明】
【００２２】
【図１】本発明における照明制御システムの構成を示すブロック図
【図２】本発明による照明制御システムの要素概略構成を示すブロック図
【図３】照明装置の電源をＯＮと設定する場合の設定フローチャート
【図４】照明装置の電源をＯＦＦと設定する場合の設定フローチャート
【図５】照明装置の電源をＯＮと設定した場合の設定時間における照明装置、及びそれに連動した映像処理装置の動作を説明する図
【図６】照明装置の電源をＯＦＦと設定した場合の設定時間における照明装置、及びそれに連動した映像処理装置の動作を説明する図
【図７】本発明における照明制御システムの構成を示すブロック図
【図８】本発明における照明制御システムの動作を示すフローチャート
【図９】本発明における照明制御システムの動作を示すフローチャート
【発明を実施するための形態】
【００２３】
（実施例１）
＜１、本発明の照明制御システムの全体構成について＞
図１は本発明における照明制御システムを模式的に描いたものであり、図中、１１は映像処理装置、１２は映像処理装置の各種設定を使用者が設定操作するための専用リモコン、１３は映像処理装置側の照明制御情報を送信する送信部、１４は照明装置、１５は照明装置側の照明制御情報を受信する受信部、１６は専用リモコン１２から映像処理装置１１へ制御信号を無線通信によって送信する電波、１７は送信部１４から受信部１５へ照明制御情報を無線通信によって送信する電波を表す。
【００２４】
また、図２は本発明による照明制御システムの要素概略構成を示すブロック図である。ここでまず、各構成要素について説明する。
【００２５】
２１は専用リモコン１２を用いて映像処理装置光学特性パラメータ設定部２２や映像処理装置電源ＯＮ／ＯＦＦ設定部２３で設定を行う際の制御信号を処理するリモコン命令処理部である。
【００２６】
２２は使用者が選択した大別したジャンルに応じて予め設定された光学特性パラメータ、或いは使用者が個別に設定した各光学特性パラメータを映像処理装置１１に適用する映像処理装置光学特性パラメータ設定部である。
【００２７】
２３は使用者の操作に基づいて映像処理装置の電源のＯＮ／ＯＦＦ制御の設定を行い、設定内容を映像処理装置１１に適用する映像処理装置電源ＯＮ／ＯＦＦ設定部である。
【００２８】
２４は上記２２で設定された大別されたジャンル、或いは光学特性パラメータを受け、それに対応した照明パタンを設定する照明装置照明特性パラメータ設定部であり、照明装置の数や種別、設置位置などの条件によって最適な照明パタンの設定を行う。上記各条件は使用者が事前に設定しておく。
【００２９】
２５は使用者の操作に基づいて照明装置の電源のＯＮ／ＯＦＦ制御の設定を行う照明装置電源ＯＮ／ＯＦＦ設定部である。
【００３０】
２６は上記２４、２５で設定された各設定を照明装置へ送信するための照明制御情報を生成する照明制御装置生成部である。
【００３１】
２７は上記２６で生成された照明制御情報を処理し、照明装置が指定された照明パタンを行うように光源の輝度、色度、及び照明の照射方向、或いは電源のＯＮ／ＯＦＦを各照明装置に適用させる照明制御情報処理部である。
＜２、本発明の照明制御システムのジャンルに応じた処理について＞
次に、具体的な操作手順と使用方法について順を追って説明する。まず、使用者は映像処理装置に映像処理装置が設置される照明環境を設定登録しなければならない。具体的にはその映像処理装置が制御可能な照明の数や種別、設置位置、及び使用者の視聴位置や部屋の大きさなどを登録する。このような登録を事前に行っておけば設置場所や照明環境が変わらない限り改めて設定を行う必要はない。
また、使用者によって大別したジャンルの好みの照明設定を行うことも可能である。例えば、大別したジャンルがシアターである場合、照明は暗くなるように設定されるが、視聴者があまり室内を暗くすることを好まない場合は、輝度の低下レベルをある程度自由に選択できることが望ましい。
また、家族内で照明特性に対する好みが異なる場合も個人ごと設定を変更できることが望ましい。このような照明環境、或いは個人ごとの照明特性の好みを事前に設定登録しておくことで使用者にとっての最適な視聴環境を実現することができる。
【００３２】
次に、使用者は視聴する内容に適した、或いは心境に即した大別したジャンルを選択することで視聴環境を最適化する。ここで、大別したジャンルとしては、シアター、ゲーム、スポーツ、ムード、くつろぎなどが考えられる。これらの大別したジャンルは使用者が選択することで初めて適用され、画面表示装置のみに適用するか映像処理装置に連動して照明装置にも適用するかを予め設定することができる。照明装置に対しても適用し最適な視聴環境を実現しようとする場合は、被制御照明装置以外の照明装置は消灯させておくことが望ましい。
また、外光の進入も極力防いでおかなければならない。なぜならば、これらの制御不能な明かりによって照明制御システムによって制御が可能な照明環境の自由度が大幅に低下してしまうからである。
【００３３】
また、照明に用いられる光源には、例えばＬＥＤなどのＲＧＢ単色光の各輝度を個別に変化させることが可能なものがよい。これらの光源を用いることにより、色度（色温度）の可変域が広がるからである。しかしながら、これらの光源は蛍光管や白熱電球などの光源に比べコスト高であるため、蛍光管や白熱電球といった従来の光源と組み合わせて用いることも考えられる。
【００３４】
以下上述した内容について、図７から図９を参照しながら、詳細に説明する。図７は、上述した照明制御システムの構成をより詳細に説明した図であり、図８及び図９は、照明制御システムの処理動作を示したフローチャートである。まず、最初に照明制御システムの構成について説明する。
【００３５】
本発明の照明制御システムは、映像処理装置１０００と照明装置２０００とにより構成されている。また、映像処理装置１０００は、入力された映像信号を受信し、変調処理を行う変調手段１００２と、変調手段１００２により変調された映像信号をデコードするデコーダ１００４と、デコーダ１００４によりデコードされた映像信号の画質を補正する画質補正手段１００６と、画質補正手段１００６により画質補正された映像信号を表示する表示パネル１００８と、映像処理装置１０００を制御するＣＰＵ１０１０と、入力された映像信号に対して、少なくとも輝度、コントラスト、ホワイトバランス、画像の鮮鋭度のいずれか一つを補正する複数の補正方式を記憶する記憶手段１０１２と、記憶手段１０１２に記憶された複数の補正方式から所望の補正方式を選択する選択手段１０１４と、選択手段１０１４により選択された補正方式に基づいて、照明装置２０００を調整する調光情報を照明装置２０００に出力する出力手段１０１６と、入力された映像信号の種別を判別する判別手段１０１８と、番組の視聴予約を記録する予約記録手段１０２０と、過去の番組の視聴履歴を記録する履歴記録手段１０２２と、映像処理装置１０００の電源を制御する電源制御手段１０２４と、照明装置２０００の特性を示す特性情報を受信する受信手段１０２６と、受信手段により受信した特性情報及び選択手段１０１４により選択された補正方式に基づいて、調整情報を設定する設定手段１０２８とにより構成されている。
【００３６】
ここで、記憶手段１０１２に記憶された複数の補正方式とは、通常の画質処理を行うスタンダード方式、映画に適した画質処理を行うシネマ方式、スポーツに適した画質処理を行うスポーツ方式等の種々の方式が考えられる。また、これらの方式以外に、ユーザーが好みの方式を設定するユーザー方式等も考えられる。
また、選択手段１０１４は、記憶手段１０１２に記憶された複数の補正方式から、リモコン等を用いて、ユーザーが所望の補正方式を選択する方法が考えられる。この場合には、適切にユーザーの所望する補正方式を決定することが可能になる。
しかしながら、この場合には、ユーザーが所望の補正方式を選択しなければならず、処理が煩雑となるという問題が生じる。そこで、別の記憶手段１０１２に記憶された複数の補正方式から一つの補正方式を選択する方法としては、判別手段１０１８において、入力された映像信号が映画であるか、スポーツであるか等の情報を取得することにより、入力された映像信号の種別を判別し、その判別した映像信号の種別に応じて、選択手段１０１４において、記憶手段１０１２に記憶された複数の補正方式から一つの補正方式を選択する方法が考えられる。
しかしながら、この場合には、入力された映像信号の種別の情報を取得するまでの間は適切な補正方式で処理を行うことができないという問題が生じる。そこで、別の記憶手段１０１２に記憶された複数の補正方式から一つの補正方式を選択する方法としては、予約記録手段１０２０において、所定時間に所定の番組を視聴する視聴予約情報を記憶しておき、所定時間の一定時間前に、選択手段により視聴予約された番組の種別を判別し、その判別した映像信号の種別に応じて、選択手段１０１４において、記憶手段１０１２に記憶された複数の補正方式から一つの補正方式を選択する方法が考えられる。
また、別の記憶手段１０１２に記憶された複数の補正方式から一つの補正方式を選択する方法としては、履歴記録手段１０２２において、例えば、ドラマのように特定の時間に毎週放送される番組の過去の番組の視聴履歴を記録しておき、その視聴履歴が記録された番組に関連する番組、例えば、今週のドラマが放送される放送時間の一定時間前に、選択手段１０１４により視聴履歴が記録された番組の種別を判別し、その判別した映像信号の種別に応じて、選択手段１０１４において、記憶手段１０１２に記憶された複数の補正方式から一つの補正方式を選択する方法が考えられる。
これらの方法により、ユーザーが所望の補正方式を選択することなく、且つ、所定の番組の開始前に予め所望の補正方式を選択することが可能になるものである。
【００３７】
次に、画質補正手段１００６は、選択手段１０１４により選択された補正方式に基づいて、入力された映像信号の画質補正を行う。具体的には、シネマ方式が選択された場合には、全体の輝度を低下させて画質の補正を行い、一方スポーツ方式が選択された場合には、全体の輝度を向上させて画質の補正を行う。
【００３８】
次に、表示パネル１００８は、本発明においては特に限定されるものではなく、プラズマディスプレイ、液晶ディスプレイ、有機ＥＬディスプレイ等、種々のディスプレイに適用可能である。
【００３９】
次に、出力手段１０１６は、上述した選択手段１０１４により選択された、例えば、シネマ方式、スポーツ方式等の情報を調光情報として外部の照明装置２０００に出力される。なお、出力手段１０１６と照明装置２０００は無線により情報を伝達する方式や、有線により情報を伝達するいずれの方式においても適用可能である。
また、出力手段１０１６においては、選択手段１０１４により選択された補正方式に基づいて、照明装置２０００に対して、所望の輝度、色度、照射方向を調光情報として伝達することも可能である。これにより、方式を通知する場合と比較して、より精密に照明装置２０００における輝度等を設定することが可能になるものである。
【００４０】
さらに、より正確な所望の輝度、色度、照射方向を調光情報として伝達する場合には、照明装置２０００の特性を知ることが必要となる。具体的には、特性情報として、照明装置２０００の種類（蛍光管、白熱灯、ＬＥＤ）や照明装置２０００と映像処理装置１０００との距離等の情報を知ることが必要になる。そこで、本発明においては、受信手段１０２６及び設定手段１０２８は、照明装置２０００の特性を示す特性情報を取得し、その特性情報に応じて、選択手段１０１４により選択する補正方式に対応した所望の輝度、色度、照射方向などを設定し、設定した輝度、色度、照射方向などの情報を調光情報として出力する。これにより、照明装置２０００の特性に応じた調光情報を映像処理装置１０００から出力することが可能になるものである。
なお、図７においては、一つの照明装置２０００について説明したが、本発明においては、複数の照明装置に対して、出力手段１０１６から情報を出力することも可能である。
また、この場合には、上述したように、照明装置２０００の特性情報に応じて出力手段１０１６から出力する調光情報が異なるため、照明装置ごとにＩＤを付加した上で、出力手段１０１６からそれぞれの照明装置に対して、調光情報及びＩＤを出力する構成とすることにより、それぞれの照明装置ごとに適切な調光情報を伝送することが可能になるものである。
【００４１】
次に、照明装置２０００は、映像処理装置１０００の出力手段１０１６から出力された調光情報を検知する検知手段２００２と、検知手段２００２により検知した調光情報に基づいて照明装置２０００の輝度、色度、照射方向の少なくともいずれか一つを設定する調光手段２００４と、蛍光管やＬＥＤ等により構成される発光部品により発光する発光手段２００６と、照明装置２０００の特性を示す特性情報を出力する出力手段２００８とにより構成されている。
【００４２】
ここで、調光手段２００４では、映像処理装置１０００の出力手段１０１６から出力された調光情報がシネマ方式やスポーツ方式により補正を行う旨の情報の場合には、それらの方式に適用する輝度、色度、照射方向の設定を行う。一方、映像処理装置１０００の出力手段１０１６から出力された調光情報が所望の輝度、色度、照射方向の場合には、その対に応じた輝度、色度、照射方向により設定を行う。
【００４３】
以上のような構成からなる照明制御システムの処理動作について、図８及び図９を参照しながら説明する。
【００４４】
最初に、映像処理装置１０００は、ＣＰＵ１０１０が、記憶手段１０１２において、複数の補正方式が設定されているか否かを判別する（ステップ１０００）。ここで、複数の補正方式が設定されていない場合には、例えば、ユーザーがリモコン等を用いて、複数の補正方式を設定する（ステップ１００２）。
【００４５】
次に、ＣＰＵ１０１０は、選択手段１０１４において、補正方式が変更されたか否かを判別する（ステップ１００４）。具体的には、ユーザーがリモコン等によりシネマ方式やスポーツ方式等の補正方式を変更したか否かを判別する。
【００４６】
ここで、補正方式が変更されたと判断された場合には、ＣＰＵは、選択手段１０１４により選択された補正方式を画質補正手段１００６に通知することにより、画質補正手段１００６は通知された補正方式に基づいて、入力された映像信号の画質補正を行う（ステップ１００６）。これにより、表示パネル１００８に対しては、適切な補正方式により画質を補正することが可能になるものである。
【００４７】
次に、照明装置２０００から出力手段２００８及び受信手段１０２６を介して、照明装置２０００の特性情報が映像処理装置１０００に送信されているか否かを判別する（ステップ１００８）。
【００４８】
ステップ１００８において、特性情報が送信されている場合には、設定手段１０２８において、選択手段１０１４により選択された補正方式と照明装置２０００の特性情報とに基づいて、適切な輝度、色度、照射方向の少なくともいずれか一つの情報からなる調光情報が設定される（ステップ１０１０）。
次に、出力手段１０１６において、ステップ１００８において、特性情報が送信されていない場合には、補正方式の情報を調光情報として、一方、ステップ１００８において、特性情報が送信されている場合には、ステップ１０１０で設定された輝度、色度、照射方向からなる調光情報を照明装置２０００に対して出力する（ステップ１０１２）。
次に、映像処理装置１０００の出力手段１０１６から出力された調光情報を照明装置２０００の検知手段２００２が検知したか否かを判断する（ステップ１０１４）。
次に、照明装置２０００の調光手段２００４において、ステップ１０１４で受信した調光情報に基づいて、発光手段２００６の調光処理を行う（ステップ１０１６）。
【００４９】
以上のような処理により、映像処理装置１０００において、選択手段１０１４において選択された補正方式において、画質の補正処理を行うと同時に、映像処理装置１０００の周辺に配置された照明装置２０００においても補正方式に適用した調光処理を行うことが可能になるものである。
【００５０】
次に、図９を参照しながら、別の処理方法について説明する。まず、上述したユーザーにより選択される選択手段１０１４の代わりに判別手段１０１８を用いる場合には、入力された映像信号の種別が変更されたか否かを判別する処理とすることも可能である（ステップ２０００）。
また、上述したように、判別手段１０１８の代わりに予約記録手段１０２０を用いる場合には、視聴予約された番組が開始されるか否かを判別し、番組が開始される一定時間前に補正方式が変更されるか否かを判別する処理とすることも可能である（ステップ２００２）。
また、上述したように、判別手段１０１８の代わりに履歴記録手段１０２２を用いる場合には、履歴情報に関連する番組が開始されるか否かを判別し、番組が開始される一定時間前に補正方式が変更されるか否かを判別する処理とすることも可能である（ステップ２００４）。
【００５１】
次に、ステップ２００６において、上述したステップ２０００から２００４のいずれかのステップにより取得された番組の番組情報（例えば、番組のジャンル等）を取得する（ステップ２００６）。この処理が終了後、図８に記載されたステップ１０００の処理を行う。
【００５２】
このような処理により、画質の補正処理を行うと同時に、映像処理装置１０００の周辺に配置された照明装置２０００においても補正方式に適用した調光処理を行うことが可能になるとともに、ユーザーが補正方式を選択することなく、且つ、所望の番組の開始前にそれらの処理を行うことが可能になるものである。
＜３、本発明の照明制御システムの電源に応じた処理について＞
次に、使用者が映像処理装置を通して照明装置の電源のＯＮ／ＯＦＦ設定を行い、使用者が指定した時刻、或いは経過時間になった時点で照明装置の電源のＯＮ／ＯＦＦ、及びそれと連動した映像処理装置の電源のＯＮ／ＯＦＦを行う場合について説明する。
【００５３】
本発明では、上記の機能を使用することで、夜間の消し忘れによる室内照明の不要な点灯を防ぐことや、朝の指定した時刻に自動的に照明が点灯し、同時に目覚めに適した映像表示や音楽再生を行うことなど、省エネルギー対策、及び使用者の利便性の向上に資することを目的としている。
上記の使用方法を想定した場合、照明装置の電源をＯＦＦと設定した場合には、照明装置の電源がＯＦＦとなる時、映像処理装置の電源もそれに連動してＯＦＦとなることが望ましい。照明装置の電源がＯＦＦとなると同時に映像処理装置の電源がＯＮとなるような使用方法はあまり考えられないからである。同様に、照明装置の電源をＯＮと設定した場合には、映像処理装置の電源もそれに連動してＯＮとなることが望ましい。この場合、照明装置の光源の輝度、色度、及び照明の照射方向、或いは点灯パタンを設定できればなお望ましい。以上の観点から図３に照明装置の電源をＯＮと設定する場合の設定フロー図、図４にＯＦＦと設定する場合の設定フロー図を示す。
【００５４】
照明装置の電源をＯＮと設定する場合を示す図３ではまず、図中Ｓ３１で使用者が照明装置の電源をＯＮとする時刻、或いは経過時間を入力する。次に、Ｓ３２で照明装置の電源がＯＮとなる時、映像処理装置の電源もそれに連動させてＯＮとするかどうかを選択する。Ｓ３３では上記Ｓ３２に対する分岐判断を行い、連動させる場合はＳ３４で映像処理装置が起動すると同時に表示させる画像、或いは映像を指定するかどうかを選択する。
次に、Ｓ３５で再び分岐判断を行い、指定を行う場合はＳ３６において画像、或いは映像を指定する。これらの画像、或いは映像は映像処理装置に予め記憶させておいてもよいし、或いは映像処理装置と外部記憶装置とを接続して外部記憶装置に記憶させてある画像、或いは映像を再生させてもよい。
このとき、これらの画像、或いは映像には音楽、或いは音声が付随されていることが望ましい。また、これらの音量も指定できることが望ましい。さらに、これらの音楽、或いは音声を再生する場合は映像処理装置に付随する音響装置を用いてもよいし、外部音響システムと接続し、外部音響装置を用いてもよい。
また、Ｓ３５による分岐判断で画像、及び映像を指定しない場合は、Ｓ３７において映像処理装置が起動するときに表示させるチャンネルを指定する。上記一連の設定を終えると映像処理装置はＳ３８において設定内容を映像処理装置内のメモリに格納する。
【００５５】
一方、照明装置の電源をＯＦＦと設定する場合を示す図４ではまず、図中Ｓ４１で使用者が照明装置の電源をＯＦＦとする時刻、或いは経過時間を入力する。ここで、本発明によれば、映像処理装置は照明装置の電源をＯＦＦとする直前に映像処理装置において照明装置の電源をＯＦＦとしてよいかどうかの許可を求める表示を行う。
このとき、使用者が許可することを示す特定の操作を行った場合、或いは使用者が予め指定した時間内に何の操作も行われなかった場合のみ照明装置の電源をＯＦＦとする。このため、使用者は上記Ｓ４１で照明装置の電源をＯＦＦとする時刻、或いは経過時間を入力した後、Ｓ４２において、自動的に照明装置の電源がＯＦＦとなる「予め指定した時間」を入力、或いは選択する。上記一連の設定を終えると映像処理装置はＳ４３において設定内容を映像処理装置内のメモリに格納する。
【００５６】
図３中Ｓ３８、及び図４中Ｓ４３において格納された設定情報のうち、照明装置の制御に関わる制御信号は、使用者が設定した照明装置の電源をＯＮ、或いはＯＦＦとする設定時間に図１中１１の送信装置から図１中１５の受信装置へ図１中１７の電波を用いて無線通信によって映像処理装置から照明装置へ送られる。ここで、図１中１７の電波は赤外線等の光であってもよい。或いは、両者を直接つなぐ有線通信や、インターネット回線による通信、ホームネットワークを用いた通信など、他のあらゆる通信手段を用いてもよい。
【００５７】
また、照明装置内にメモリを持たせることで、上記照明装置の制御に関わる制御信号を使用者が画面表示装置を通して設定を完了した後に上記通信手段を用いて通信し、照明装置内のメモリに格納して、使用者が設定した照明装置の電源をＯＮ、或いはＯＦＦとする設定時間に照明装置の制御を行うようにしてもよい。
【００５８】
ここで、使用者が設定した照明装置の電源をＯＮ、或いはＯＦＦとする設定時間において、映像処理装置がＯＮ状態である場合、或いはＯＦＦ状態である場合、及び照明装置がＯＮ状態である場合、或いはＯＦＦ状態である場合が考えられる。これらの各場合において映像処理装置、及び照明装置がどのように動作するかを説明する。ただし、これらの動作は照明装置の電源のＯＮ／ＯＦＦに連動して映像処理装置の電源もＯＮ／ＯＦＦする設定とし、照明装置の電源をＯＮとする場合は再生する画像、或いは映像を指定したものとする。
【００５９】
次に、図５は照明装置の電源をＯＮと設定した場合の設定時間における照明装置、及びそれに連動した映像処理装置の動作を表す。図中照明装置、及び映像処理装置がどちらもＯＮ状態である場合、照明装置は点灯状態を維持し映像処理装置では指定された画像、或いは映像の再生を行う。次に、照明装置がＯＮ状態で映像処理装置がＯＦＦ状態である場合、照明装置は点灯状態を維持し、映像処理装置は電源をＯＮとして指定された画像、或いは映像の再生を行う。
また、照明装置がＯＦＦ状態で映像処理装置がＯＮ状態の場合は照明装置の電源をＯＮとし、映像処理装置は指定された画像、或いは映像の再生を行う。最後に、照明装置、及び映像処理装置がどちらもＯＦＦ状態である場合、照明装置、及び映像処理装置の電源をＯＮとし、映像処理装置では指定された画像、或いは映像の再生を行う。
【００６０】
次に、図６は照明装置の電源をＯＦＦと設定した場合の設定時間における照明装置、及びそれに連動した映像処理装置の動作を表す。図中照明装置、及び映像処理装置がどちらもＯＮ状態である場合、照明装置は使用者の指示に従って消灯、或いは点灯状態の維持を行い、映像処理装置は消灯確認画面を表示し、使用者の指示に従って電源をＯＦＦ、或いはＯＮ状態の維持を行う。
ここで、使用者の指示とは、消灯確認画面に対する使用者の操作を表わし、指定した無操作時間経過後に自動的に電源がＯＦＦとなる動作もこれに含まれる。次に、照明装置がＯＮ状態で映像処理装置がＯＦＦ状態である場合、照明装置は使用者の指示に従って消灯、或いは点灯状態の維持を行い、映像処理装置は消灯確認画面を表示し、指示に従って電源のＯＦＦ、或いはＯＮ状態の維持を行う。
また、照明装置がＯＦＦ状態で映像処理装置がＯＮ状態の場合では、照明装置は消灯状態を維持し、映像処理装置は消灯確認画面を表示、指示に従って電源のＯＦＦ、或いはＯＮ状態の維持を行う。最後に、照明装置、及び映像処理装置がどちらもＯＦＦ状態である場合、照明装置は消灯状態を維持し、映像処理装置は電源をＯＮとし、消灯確認画面を表示、指示に従って電源のＯＦＦ、或いはＯＮ状態の維持を行う。
【００６１】
上記動作は映像処理装置から照明装置への一方的な通信を想定したものであるため、映像処理装置、及び照明装置が相互に通信が可能である場合は、照明装置の電源がＯＮ状態であるのかＯＦＦ状態であるのかを相互通信を通して映像処理装置が把握することができる。そのため、照明装置をＯＦＦと設定した場合で、設定時間において照明装置がすでにＯＦＦ状態であるのであれば、映像処理装置に消灯確認画面を表示する必要はなく、照明装置、及び映像処理装置がどちらも電源がＯＦＦの状態である場合においては上記のように映像処理装置の電源を一度ＯＮとする必要もない。
【産業上の利用可能性】
【００６２】
本発明は、映像を表示するため、および照明するため等に利用することができる。
【符号の説明】
【００６３】
１１    映像処理装置
１２    専用リモコン
１３    送信部
１４    照明装置
１５    受信部
２１    リモコン命令処理部
２２    映像処理装置光学特性パラメータ設定部
２３    映像処理装置電源ＯＮ／ＯＦＦ設定部
２４    照明装置照明特性パラメータ設定部路
２５    照明装置電源ＯＮ／ＯＦＦ設定部
２６    照明制御情報生成部
２７    照明制御情報処理部
１０００    映像処理装置
１００２    変調手段
１００４    デコーダ
１００６    画質補正手段
１００８    表示パネル
１０１０    ＣＰＵ
１０１２    記憶手段
１０１４    選択手段
１０１６    出力手段
１０１８    判別手段
１０２０    予約記録手段
１０２２    履歴記録手段
１０２４    電源制御手段
１０２６    受信手段
１０２８    設定手段
２０００    照明装置
２００２    検知手段
２００４    調光手段
２００６    発光手段
２００８    出力手段
【図１】
2010263534.tif 000003
【図２】
2010263534.tif 000004
【図３】
2010263534.tif 000005
【図４】
2010263534.tif 000006
【図５】
2010263534.tif 000007
【図６】
2010263534.tif 000008
【図７】
2010263534.tif 000009
【図８】
2010263534.tif 000010
【図９】
2010263534.tif 000011